(57)【要約】【課題】送信先を個別に設定することなく、送信対象の携帯端末装置を特定し、特定した携帯端末装置に対して、読取画像データを送信する。【解決手段】本発明に係る画像伝送装置は、原稿画像を読み取って画像データを生成する画像読取手段と、自己の位置情報を取得する位置情報取得手段と、前記位置情報取得手段により取得された位置情報が示す位置から、ネットワークを介して接続された移動し得る１つ以上の携帯端末装置までのそれぞれの距離が、予め定められた範囲内であるか否かを判定する距離判定手段と、前記１つ以上の携帯端末装置のうち、前記距離判定手段により予め定められた範囲内であると判定された携帯端末装置に対して、前記画像読取手段により生成された画像データを送信する画像送信手段とを有する。【選択図】図３
2013168847.tif 000002
【特許請求の範囲】
【請求項１】
原稿画像を読み取って画像データを生成する画像読取手段と、
自己の位置情報を取得する位置情報取得手段と、
前記位置情報取得手段により取得された位置情報が示す位置から、ネットワークを介して接続された移動し得る１つ以上の携帯端末装置までのそれぞれの距離が、予め定められた範囲内であるか否かを判定する距離判定手段と、
前記１つ以上の携帯端末装置のうち、前記距離判定手段により予め定められた範囲内であると判定された携帯端末装置に対して、前記画像読取手段により生成された画像データを送信する画像送信手段と
を有する画像伝送装置。
【請求項２】
前記画像送信手段による前記画像データの送信を中止する条件を取得する条件取得手段
を有し、
前記条件取得手段により取得された条件を満たす場合以外は、
前記距離判定手段は、予め定められた間隔で、前記距離が予め定められた範囲内であるか否かを判定し、
前記画像送信手段は、予め定められた間隔で、前記距離判定手段により前記距離が予め定められた範囲内であると判定された携帯端末装置に対して、前記画像データを送信する
請求項１に記載の画像伝送装置。
【請求項３】
前記携帯端末装置を一意に識別する識別情報と、前記携帯端末装置に対する前記画像データの送信を許可するか否かを示す送信可否情報とを対応付けて記憶する端末情報記憶手段
を有し、
前記画像送信手段は、
前記距離判定手段により前記距離が予め定められた範囲内であると判定された携帯端末装置の識別情報を取得し、
前記端末情報記憶手段に記憶された識別情報のうち、前記取得した識別情報と一致する識別情報に対応する前記送信可否情報が、前記画像データの送信許可を示す場合、前記画像データを送信する
請求項１または２に記載の画像伝送装置。
【請求項４】
前記位置情報取得手段は、ネットワークを介して接続され、位置を測定する測定手段を有する外部装置により測定された位置に基づいて、自己の位置情報を取得する
請求項１〜３のいずれかに記載の画像伝送装置。
【請求項５】
近距離通信を行うネットワークを介して接続されている携帯端末装置を検出する装置検出手段
を有し、
前記距離判定手段は、前記位置情報取得手段により取得された位置情報が示す位置から、前記装置検出手段により検出された携帯端末装置までの距離は、予め定められた範囲内であると判定する
請求項１〜４のいずれかに記載の画像伝送装置。
【請求項６】
装置情報を読み取る情報読取手段
を有し、
前記距離判定手段は、前記位置情報取得手段により取得された位置情報が示す位置から、前記情報読取手段により装置情報が読み取られた携帯端末装置までの距離は、予め定められた範囲内であると判定する
請求項１〜５のいずれかに記載の画像伝送装置。
【請求項７】
画像伝送装置と、移動し得る１つ以上の携帯端末装置とが、ネットワークを介して接続され、
前記画像伝送装置は、
原稿画像を読み取って画像データを生成する画像読取手段と、
この画像伝送装置の位置情報を取得する位置情報取得手段と、
前記位置情報取得手段により取得された位置情報が示す位置から、前記１つ以上の携帯端末装置までのそれぞれの距離が、予め定められた範囲内であるか否かを判定する距離判定手段と、
前記１つ以上の携帯端末装置のうち、前記距離判定手段により予め定められた範囲内であると判定された携帯端末装置に対して、前記画像読取手段により生成された画像データを送信する画像送信手段と
を有する
画像伝送システム。
【請求項８】
原稿画像を読み取って画像データを生成する画像読取ステップと、
自己の位置情報を取得する位置情報取得ステップと、
前記位置情報取得ステップで取得された位置情報が示す位置から、ネットワークを介して接続された移動し得る１つ以上の携帯端末装置までのそれぞれの距離が、予め定められた範囲内であるか否かを判定する距離判定ステップと、
前記１つ以上の携帯端末装置のうち、前記距離判定ステップで予め定められた範囲内であると判定された携帯端末装置に対して、前記画像読取ステップで生成された画像データを送信する画像送信ステップと
をコンピュータに実行させるプログラム。
【発明の詳細な説明】
【技術分野】
【０００１】
本発明は、画像伝送装置、画像伝送システムおよびプログラムに関する。
【背景技術】
【０００２】
例えば、特許文献１は、携帯型記憶媒体を利用することにより、携帯型記憶媒体の利用者の携帯端末に対して情報を送信する情報提供システムを開示する。
また、例えば、特許文献２は、携帯電話から印刷サーバに対して、近距離無線を介して印刷指示を送信することにより、電子的文書ファイルを印刷する印刷システムを開示する。
また、例えば、特許文献３は、携帯無線端末と画像情報入出力機器との距離に基づいて、画像情報入出力機器に近づいてきた携帯無線端末の利用者を特定する画像情報入出力機器を開示する。
【先行技術文献】
【特許文献】
【０００３】
【特許文献１】特開２００２−３４２３６２号公報
【特許文献２】特開２００２−３６６３１４号公報
【特許文献３】特開２００３−０５１９０９号公報
【発明の概要】
【発明が解決しようとする課題】
【０００４】
本発明は、送信先を個別に設定することなく、送信対象の携帯端末装置を特定し、特定した携帯端末装置に対して、原稿が読み取られて生成された読取画像データを送信する画像伝送装置、画像伝送システムおよびプログラムを提供することを目的とする。
【課題を解決するための手段】
【０００５】
請求項１に係る本発明は、原稿画像を読み取って画像データを生成する画像読取手段と、自己の位置情報を取得する位置情報取得手段と、前記位置情報取得手段により取得された位置情報が示す位置から、ネットワークを介して接続された移動し得る１つ以上の携帯端末装置までのそれぞれの距離が、予め定められた範囲内であるか否かを判定する距離判定手段と、前記１つ以上の携帯端末装置のうち、前記距離判定手段により予め定められた範囲内であると判定された携帯端末装置に対して、前記画像読取手段により生成された画像データを送信する画像送信手段とを有する画像伝送装置である。
【０００６】
請求項２に係る本発明は、前記画像送信手段による前記画像データの送信を中止する条件を取得する条件取得手段を有し、前記条件取得手段により取得された条件を満たす場合以外は、前記距離判定手段は、予め定められた間隔で、前記距離が予め定められた範囲内であるか否かを判定し、前記画像送信手段は、予め定められた間隔で、前記距離判定手段により前記距離が予め定められた範囲内であると判定された携帯端末装置に対して、前記画像データを送信する請求項１に記載の画像伝送装置である。
【０００７】
請求項３に係る本発明は、前記携帯端末装置を一意に識別する識別情報と、前記携帯端末装置に対する前記画像データの送信を許可するか否かを示す送信可否情報とを対応付けて記憶する端末情報記憶手段を有し、前記画像送信手段は、前記距離判定手段により前記距離が予め定められた範囲内であると判定された携帯端末装置の識別情報を取得し、前記端末情報記憶手段に記憶された識別情報のうち、前記取得した識別情報と一致する識別情報に対応する前記送信可否情報が、前記画像データの送信許可を示す場合、前記画像データを送信する請求項１または２に記載の画像伝送装置である。
【０００８】
請求項４に係る本発明は、前記位置情報取得手段は、ネットワークを介して接続され、位置を測定する測定手段を有する外部装置により測定された位置に基づいて、自己の位置情報を取得する請求項１〜３のいずれかに記載の画像伝送装置である。
【０００９】
請求項５に係る本発明は、近距離通信を行うネットワークを介して接続されている携帯端末装置を検出する装置検出手段を有し、前記距離判定手段は、前記位置情報取得手段により取得された位置情報が示す位置から、前記装置検出手段により検出された携帯端末装置までの距離は、予め定められた範囲内であると判定する請求項１〜４のいずれかに記載の画像伝送装置である。
【００１０】
請求項６に係る本発明は、装置情報を読み取る情報読取手段を有し、前記距離判定手段は、前記位置情報取得手段により取得された位置情報が示す位置から、前記情報読取手段により装置情報が読み取られた携帯端末装置までの距離は、予め定められた範囲内であると判定する請求項１〜５のいずれかに記載の画像伝送装置である。
【００１１】
請求項７に係る本発明は、画像伝送装置と、移動し得る１つ以上の携帯端末装置とが、ネットワークを介して接続され、前記画像伝送装置は、原稿画像を読み取って画像データを生成する画像読取手段と、この画像伝送装置の位置情報を取得する位置情報取得手段と、前記位置情報取得手段により取得された位置情報が示す位置から、前記１つ以上の携帯端末装置までのそれぞれの距離が、予め定められた範囲内であるか否かを判定する距離判定手段と、前記１つ以上の携帯端末装置のうち、前記距離判定手段により予め定められた範囲内であると判定された携帯端末装置に対して、前記画像読取手段により生成された画像データを送信する画像送信手段とを有する画像伝送システムである。
【００１２】
請求項８に係る本発明は、原稿画像を読み取って画像データを生成する画像読取ステップと、自己の位置情報を取得する位置情報取得ステップと、前記位置情報取得ステップで取得された位置情報が示す位置から、ネットワークを介して接続された移動し得る１つ以上の携帯端末装置までのそれぞれの距離が、予め定められた範囲内であるか否かを判定する距離判定ステップと、前記１つ以上の携帯端末装置のうち、前記距離判定ステップで予め定められた範囲内であると判定された携帯端末装置に対して、前記画像読取ステップで生成された画像データを送信する画像送信ステップとをコンピュータに実行させるプログラムである。
【発明の効果】
【００１３】
請求項１に係る本発明によれば、送信先を個別に設定することなく、送信対象の携帯端末装置を特定し、特定した携帯端末装置に対して、原稿が読み取られて生成された読取画像データを一斉送信する画像伝送装置を提供することができる。
【００１４】
請求項２に係る本発明によれば、請求項１に係る発明の効果に加えて、読取画像データの送信後に、送信対象の携帯端末装置が新たに特定された場合であっても、新たに特定された携帯端末装置に対して、読取画像データを再度送信する画像伝送装置を提供することができる。
【００１５】
請求項３に係る本発明によれば、請求項１または２に係る発明の効果に加えて、読取画像データの送信を許可する携帯端末装置を制限して、適切に読取画像データを送信する画像伝送装置を提供することができる。
【００１６】
請求項４に係る本発明によれば、請求項１〜３のいずれかに係る発明の効果に加えて、送信対象の携帯端末装置を特定するために用いられる自己の位置情報を自らが測定できない場合であっても、自己の位置情報を取得する画像伝送装置を提供することができる。
【００１７】
請求項５に係る本発明によれば、請求項１〜４のいずれかに係る発明の効果に加えて、送信対象の携帯端末装置をより効率良く特定する画像伝送装置を提供することができる。
【００１８】
請求項６に係る本発明によれば、請求項１〜５のいずれかに係る発明の効果に加えて、送信対象の携帯端末装置をより効率良く特定する画像伝送装置を提供することができる。
【００１９】
請求項７に係る本発明によれば、送信先を個別に設定することなく、送信対象の携帯端末装置を特定し、特定した携帯端末装置に対して、原稿が読み取られて生成された読取画像データを一斉送信する画像伝送システムを提供することができる。
【００２０】
請求項８に係る本発明によれば、送信先を個別に設定することなく、送信対象の携帯端末装置を特定し、特定した携帯端末装置に対して、原稿が読み取られて生成された読取画像データを一斉送信するプログラムを提供することができる。
【図面の簡単な説明】
【００２１】
【図１】本実施形態に係る画像伝送システムの構成を例示する図である。
【図２】図１に示した画像伝送装置のハードウェア構成を例示する図である。
【図３】図１および図２に示した画像伝送装置上で実行される第１のプログラムの構成を例示する図である。
【図４】図２に示した画像伝送装置の入出力装置のタッチパネルに表示される画像伝送装置に対する操作選択画面を例示する図である。
【図５】図２に示した画像伝送装置の入出力装置のタッチパネルに表示される画像伝送装置の設置位置を設定する操作画面を例示する図である。
【図６】図２に示した画像伝送装置の入出力装置のタッチパネルに表示される原稿読取時の各種モードを設定する操作画面を例示する図である。
【図７】図３に示した端末情報記憶部が記憶する端末情報テーブルを例示する図である。
【図８】図３に示した画像読取部による原稿の読み取り中に、図２に示した画像伝送装置の入出力装置のタッチパネルに表示される画面を例示する図である。
【図９】図３に示した画像送信部による画像データの送信中に、図２に示した画像伝送装置の入出力装置のタッチパネルに表示される画面を例示する図である。
【図１０】図３に示した距離判定部の距離判定処理を例示するフローチャートである。
【図１１】図１に示した画像伝送システムの第１の実施形態における動作例を示すフローチャートである。
【図１２】図２に示した画像伝送装置の画像読取装置に、携帯端末装置の置台を設置した構成を例示する図である。
【図１３】図１および図２に示した画像伝送装置上で実行される第２のプログラムの構成を例示する図である。
【図１４】図２に示した画像伝送装置の入出力装置のタッチパネルに表示される画像データの送信処理停止条件を設定する操作画面を例示する図である。
【図１５】図１に示した画像伝送システムの第２の実施形態における動作例を示すフローチャートである。
【図１６】図３，図１３に示した端末情報記憶部が記憶する端末管理テーブルを例示する図である。
【図１７】図３に示した画像送信部の第３の実施形態における画像送信処理を例示するフローチャートである。
【図１８】図１に示した画像伝送装置において、図２に示したＩＣカード読取装置が用いられる構成を例示する図である。
【発明を実施するための形態】
【００２２】
［第１の実施形態］
以下、本発明の第１の実施形態を説明する。
【００２３】
［画像伝送システム１］
図１は、本発明の第１の実施形態の実現に用いられる画像伝送システム１の構成を例示する図である。
図１に示すように、画像伝送システム１は、画像伝送装置１２およびスマートフォンなどのｎ台の携帯端末装置１４−１〜１４−ｎ（ｎ≧１；ただし、全てのｎが常に同数を示すとは限らない）が、ＬＡＮなどのネットワーク１００を介して接続されて構成される。
【００２４】
画像伝送システム１においては、これらの構成部分により、画像伝送装置１２において原稿が読み取られて生成された画像データを、携帯端末装置１４−１〜１４−ｎのうち、画像伝送装置１２から予め定められた距離内に存在する携帯端末装置に対して送信する処理が行われる。
なお、以下、携帯端末装置１４−１〜１４−ｎなど、複数ある構成部分のいずれかを示すときは、単に、携帯端末装置１４と記載することがある。
以下、各図において、実質的に同じ構成部分・処理には、同じ符号が付される。
【００２５】
［ハードウェア構成］
図２は、図１に示した画像伝送装置１２のハードウェア構成を例示する図である。
図２に示すように、画像伝送装置１２は、ＣＰＵ１２２およびメモリ１２４などを含む本体１２０、原稿を読み取って画像データを生成する画像読取装置１２６、タッチパネルおよび表示装置などを含む入出力装置１２８、ＩＣカードに記憶された情報を読み取るＩＣカード読取装置１３０、データ通信を行うための通信装置１３２、および、ＨＤ，ＣＤ，ＤＶＤ，ＦＤ，不揮発性メモリ，ＵＳＢメモリなどの記憶媒体１３６に対してデータの書き込みおよび読み出しを行う記録装置１３４などから構成される。
つまり、画像伝送装置１２は、画像データの生成などの情報処理および他の装置とのデータ通信が可能なコンピュータとしての構成部分を有している。
【００２６】
［画像伝送プログラム２０］
図３は、図１，図２に示した画像伝送装置１２上で実行される第１の画像伝送プログラム２０の構成を例示する図である。
図３に示すように、画像伝送プログラム２０は、位置情報取得部２００、モード取得部２０２、端末情報取得部２０４、第１の距離判定部２０６、端末情報記憶部２０８、第１の画像読取部２１０および第１の画像送信部２１２から構成される。
【００２７】
画像伝送プログラム２０は、例えば、記憶媒体１３６（図２）を介して画像伝送装置１２のメモリ１２４にロードされ、画像伝送装置１２で動作するＯＳ（図示せず）上で、画像伝送装置１２のハードウェア資源を具体的に利用して実行される。
画像伝送プログラム２０は、原稿が読み取られて生成された画像データ（以下、「読取画像データ」と記述する）を、画像伝送装置１２から予め定められた距離内に存在する携帯端末装置１４（図１）に対して、一度だけ送信する処理を行う。
【００２８】
図４は、画像伝送装置１２の入出力装置１２８（図２）のタッチパネルに表示される画像伝送装置１２に対する操作選択画面を例示する図である。
図５は、画像伝送装置１２の入出力装置１２８のタッチパネルに表示される画像伝送装置１２の設置位置を設定する操作画面を例示する図である。
図４に示すように、操作選択画面は、例えば、画像伝送装置１２に対する各操作を指定するボタン（コピーボタン、スキャナー（端末配布）ボタンなど）、および、各設定操作を指定するボタン（登録／変更ボタン２２０、ジョブボタン２２２など）から構成される。
【００２９】
位置情報取得部２００（図３）は、入出力装置１２８（図２）を介して入力された画像伝送装置１２の設置位置を示す位置情報を取得し、距離判定部２０６に対して出力する。
なお、以下、位置情報は緯度経度を示す場合を具体例として説明する。
具体的には、例えば、画像伝送装置１２の管理者が、図４に示した操作選択画面の登録／変更ボタン２２０を押下すると、図５に示した位置情報の設定操作画面が表示される。
管理者は、例えば、画像伝送装置１２の設置位置で、ＧＰＳ（Global Positioning System）を搭載する機器を用いて測定した緯度経度を、図５に示した設定操作画面を介して入力する。
位置情報取得部２００は、図５に示した設定操作画面を介して入力された緯度経度を、画像伝送装置１２の設置位置情報として取得する。
【００３０】
図６は、画像伝送装置１２の入出力装置１２８（図２）のタッチパネルに表示される原稿読取時の各種モードを設定する操作画面を例示する図である。
図６に示すように、設定操作画面は、例えば、各モードを指定するプルダウンおよび画像読取開始を指示するスキャン開始ボタン２２６から構成される。
各種モードのうち、例えば、配布モードは、配布モードのプルダウン２２４により、「一斉配布モード」および「不特定配布モード」から選択される。
「一斉配布モード」は、本発明の第１の実施形態に対応し、「一斉配布モード」において、画像伝送装置１２（図１）は、読取画像データを、配布対象の携帯端末装置１４（図１）に対して一度だけ送信する。
【００３１】
「不特定配布モード」は、後述する本発明の第２の実施形態に対応し、「不特定配布モード」において、画像伝送装置１２は、読取画像データを記憶し、予め定められた期間、予め定められた間隔で、配布対象の携帯端末装置１４を特定し、記憶した読取画像データを、特定した配布対象の携帯端末装置１４に対して送信する。
モード取得部２０２（図３）は、図６に示した配布モードのプルダウン２２４により選択された配布モードを取得し、画像読取部２１０に対して出力する。
【００３２】
端末情報取得部２０４は、距離判定部２０６からの要求に応じて、携帯端末装置１４（図１）から、携帯端末装置１４のＩＰ（Internet Protocol）アドレスおよび位置情報を取得して、距離判定部２０６および端末情報記憶部２０８に対して出力する。
具体的には、例えば、端末情報取得部２０４は、以下の手順（１）〜（３）により、携帯端末装置１４のＩＰアドレスおよび位置情報を取得する。
【００３３】
（１）端末情報取得部２０４は、ＵＰｎＰ（Universal Plug and Play）およびＢｏｎｊｏｕｒ（登録商標）などのプロトコルを用いて、ネットワークを介して接続された携帯端末装置１４を検索し、検出された携帯端末装置１４のＩＰアドレスを取得する。
（２）端末情報取得部２０４は、ＰＡＮ（Personal Area Network）などの近距離通信を行うネットワークを介して接続された携帯端末装置１４を検索し、検出された携帯端末装置１４のＩＰアドレスを取得する。
（３）端末情報取得部２０４は、ＳＯＡＰ（Simple Object Access Protocol）などを用いて、（１）および（２）において検出された携帯端末装置１４に対して、携帯端末装置１４の位置情報を要求して、携帯端末装置１４から位置情報を取得する。
【００３４】
距離判定部２０６は、位置情報取得部２００から入力された画像伝送装置１２（図１）の位置情報、および、端末情報取得部２０４に対して要求して入力された携帯端末装置１４の位置情報を取得する。
また、距離判定部２０６は、取得した位置情報を用いて、画像伝送装置１２から携帯端末装置１４までの距離が予め定められた範囲内であるか否かを判定し、判定結果を端末情報記憶部２０８に対して出力する（図１０を参照して詳述）。
【００３５】
図７は、端末情報記憶部２０８が記憶する端末情報テーブルを例示する図である。
図７に示すように、端末情報テーブルは、端末情報取得部２０４（図３）から入力されたＩＰアドレスおよび位置情報と、距離判定部２０６（図３）から入力された判定結果と、画像送信状態とを対応付けた端末情報の一覧を示す。
【００３６】
図７に示した端末情報テーブルの画像送信状態は、携帯端末装置１４（図１）に対して読取画像データを送信済みの場合、「送信済」を示し、それ以外の場合、「未送信」を示す。
つまり、後述する画像送信部２１２が、携帯端末装置１４に対して読取画像データを送信する前においては、画像送信状態は、すべて「未送信」を示す。
端末情報記憶部２０８は、図７に示した端末情報テーブルを、後述する画像送信部２１２が参照可能に記憶する。
【００３７】
図８は、画像読取部２１０による原稿の読み取り中に、画像伝送装置１２の入出力装置１２８（図２）のタッチパネルに表示される画面を例示する図である。
画像読取部２１０（図３）は、モード取得部２０２から入力された配布モード（第１の実施形態においては、「一斉配布モード」）を取得し、配布モードが「一斉配布モード」であると認識する。
また、画像読取部２１０は、図６に示した操作画面のスキャン開始ボタン２２６が押下されると、図８に示した画面が表示されている間に、画像読取装置１２６（図２）にセットされたすべての原稿を読み取って画像データを生成する。
【００３８】
また、画像読取部２１０は、生成した画像データを、画像送信部２１２に対して出力する。
なお、本実施形態においては、画像読取部２１０は、画像読取装置１２６にセットされたすべての原稿を読み取って画像データを生成した後に、画像送信部２１２に対して出力しているが、例えば、原稿の１ページ分の画像データを生成するたびに、生成した画像データを画像送信部２１２に対して出力してもよい。
【００３９】
図９は、画像送信部２１２による画像データの送信中に、画像伝送装置１２の入出力装置１２８（図２）のタッチパネルに表示される送信状況表示画面を例示する図である。
画像送信部２１２（図３）は、端末情報記憶部２０８が記憶する端末情報テーブル（図７）の端末情報のうち、判定結果が「一定距離内」を示し、画像送信状態が「未送信」を示す端末情報を取得する。
また、画像送信部２１２は、図９に示した画面が表示されている間に、取得した端末情報のＩＰアドレスに対応する携帯端末装置１４（図１）に対して、画像読取部２１０から入力された画像データを送信する。
また、画像送信部２１２は、端末情報記憶部２０８が記憶する端末情報テーブルの端末情報のうち、画像データを送信した携帯端末装置１４に対応する画像送信状態を「送信済」に更新する。
【００４０】
［距離判定部２０６の処理］
図１０は、距離判定部２０６（図３）の距離判定処理を例示するフローチャートである。
以下、距離判定部２０６の距離判定処理を、さらに説明する。
ステップ２４０（Ｓ２４０）において、距離判定部２０６は、位置情報取得部２００（図３）から入力された画像伝送装置１２（図１）の位置情報を取得する。
【００４１】
ステップ２４２（Ｓ２４２）において、距離判定部２０６は、端末情報取得部２０４（図３）から入力された携帯端末装置１４（図１）の位置情報を取得する。
ステップ２４４（Ｓ２４４）において、距離判定部２０６は、Ｓ２４０において取得した位置情報が示す緯度経度と、Ｓ２４２において取得した位置情報が示す緯度経度との差から、画像伝送装置１２から携帯端末装置１４までの距離を算出する。
【００４２】
ステップ２４６（Ｓ２４６）において、距離判定部２０６は、Ｓ２４４において算出された距離が、予め定められた距離内（例えば、５ｍ以内）であるか否かを判定する。
距離判定部２０６は、算出した距離が、予め定められた距離内であると判定した場合、Ｓ２４８の処理に進み、それ以外の場合、Ｓ２５０の処理に進む。
【００４３】
ステップ２４８（Ｓ２４８）において、距離判定部２０６は、「一定距離内」を示す判定結果を、端末情報記憶部２０８（図３）に対して出力する。
例えば、画像伝送装置１２（図１）からの距離を算出した携帯端末装置１４（図１）のＩＰアドレスが１２７．０．０．１を示す場合、端末情報記憶部２０８が記憶する端末情報テーブル（図７）の端末情報のうち、ＩＰアドレスが１２７．０．０．１の端末情報に対応する判定結果が「一定距離内」とされる。
【００４４】
ステップ２５０（Ｓ２５０）において、距離判定部２０６は、「範囲外」を示す判定結果を、端末情報記憶部２０８（図３）に対して出力する。
例えば、画像伝送装置１２（図１）からの距離を算出した携帯端末装置１４（図１）のＩＰアドレスが１２７．０．０．２を示す場合、端末情報記憶部２０８が記憶する端末情報テーブル（図７）の端末情報のうち、ＩＰアドレスが１２７．０．０．２の端末情報に対応する判定結果が「範囲外」とされる。
【００４５】
ステップ２５２（Ｓ２５２）において、距離判定部２０６は、Ｓ２４２において取得した位置情報を示すすべての携帯端末装置１４（図１）に対して、距離判定処理を行ったか否かを判定する。
距離判定部２０６は、すべての携帯端末装置１４に対して距離判定処理を行ったと判定した場合、処理を終了し、それ以外の場合、Ｓ２４４の処理に進む。
【００４６】
［画像伝送システム１の動作例］
図１１は、画像伝送システム１（図１）の動作例を示すフローチャートである。
図１２は、画像伝送装置１２の画像読取装置１２６（図２）に、携帯端末装置１４の置台２８０を設置した構成を例示する図である。
以下、図１２に示した画像読取装置１２６の置台２８０に置かれた３台の携帯端末装置１４−１〜１４−３に対して、読取画像データを一斉配布する画像伝送システム１の動作例を説明する。
画像伝送装置１２は、図６に示した操作画面のスキャン開始ボタン２２６が押下されると、処理を開始する。
【００４７】
ステップ２６０（Ｓ２６０）において、画像伝送装置１２は、図６に示した操作画面の配布モードのプルダウン２２４により設定された配布モードが、「一斉配布モード」であるか否かを判定する（モード取得部２０２，画像読取部２１０（図３））。
画像伝送装置１２は、「一斉配布モード」である場合、Ｓ２６２の処理に進み、それ以外の場合、後述する第２の実施形態に対応するＳ３４（図１５）の処理に進む。
ステップ２６２（Ｓ２６２）において、画像伝送装置１２は、セットされた原稿を読み取って画像データを生成する（画像読取部２１０）。
【００４８】
ステップ２４（Ｓ２４；図１０）において、画像伝送装置１２は、画像伝送装置１２から携帯端末装置１４それぞれまでの距離が、予め定められた範囲内であるか否かを判定する（距離判定部２０６，端末情報記憶部２０８（図３））。
例えば、画像伝送装置１２は、図１２に示した置台２８０に置かれた携帯端末装置１４−１〜１４−３が、画像伝送装置１２から予め定められた距離内に存在すると判定する。
ステップ２６４（Ｓ２６４）において、画像伝送装置１２は、画像データの送信対象の携帯端末装置１４の端末情報の１つ（例えば、携帯端末装置１４−１の端末情報）を取得する（端末情報記憶部２０８，画像送信部２１２（図３））。
ステップ２６６（Ｓ２６６）において、画像伝送装置１２は、Ｓ２６４において取得した端末情報に対応する携帯端末装置１４（例えば、携帯端末装置１４−１）に対して、Ｓ２６２において生成した画像データを送信する（画像送信部２１２）。
【００４９】
ステップ２６８（Ｓ２６８）において、画像伝送装置１２は、画像データの送信対象のすべての携帯端末装置１４−１〜１４−３に対して画像データを送信したか否かを判定する（画像送信部２１２）。
画像伝送装置１２は、すべての携帯端末装置１４−１〜１４−３に対して画像データを送信したと判定した場合、処理を終了し、それ以外の場合、Ｓ２６４の処理に進む。
なお、本動作例においては、図１２に示すように、３台の携帯端末装置１４−１〜１４−３が、画像読取装置１２６（図２）の置台２８０に置かれている場合を具体例としたが、携帯端末装置１４の数は、これに限定されるものではない。
また、携帯端末装置１４は、必ずしも置台２８０に置かれている必要はなく、画像伝送装置１２から予め定められた距離内に存在すればよい。
【００５０】
［第２の実施形態］
以下、本発明の第２の実施形態について説明する。
上述したように、第１の実施形態は、配布モードのうちの「一斉配布モード」に対応するのに対し、第２の実施形態は、「不特定配布モード」に対応する。
【００５１】
［画像伝送プログラム３０］
図１３は、第２の実施形態において、図１，図２に示した画像伝送装置１２上で実行される第２の画像伝送プログラム３０の構成を例示する図である。
図１３に示すように、画像伝送プログラム３０は、図３に示した第１の画像伝送プログラム２０の第１の距離判定部２０６、第１の画像読取部２１０および第１の画像送信部２１２が、それぞれ第２の距離判定部３０４、第２の画像読取部３０６および第２の画像送信部３１０に置換され、第１の画像伝送プログラム２０の構成に、条件取得部３００、制御部３０２および画像データ記憶部３０８が追加された構成をとる。
画像伝送プログラム３０は、読取画像データを記憶し、予め定められた期間、予め定められた間隔で、画像伝送装置１２から予め定められた距離内に存在する携帯端末装置１４（図１）を特定して、記憶した読取画像データを送信する。
【００５２】
図１４は、画像伝送装置１２の入出力装置１２８（図２）のタッチパネルに表示され、画像送信部３１０が画像データ記憶部３０８に記憶された画像データの送信処理を停止する条件（以下、「送信処理停止条件」と記述する）を設定する操作画面を例示する図である。
図１４に示すように、条件設定操作画面は、例えば、画像データの送信処理の中止を指示する中止ボタン３２０、画像データの送信回数の設定画面に切り替える回数設定タブ３２２および画像データの送信処理終了時刻の設定画面に切り替える終了時刻設定タブ３２４から構成される。
例えば、図４に示した画像伝送装置１２に対する操作選択画面のジョブボタン２２２が押下されると、図１４に示した条件設定操作画面が表示される。
【００５３】
例えば、送信処理停止条件は、以下の（１）〜（３）の場合の少なくともいずれか１つを含む。
（１）図１４に示した中止ボタン３２０の押下した場合。
（２）画像データの送信回数が、図１４に示した回数設定タブ３２２により切り替えられた設定画面において設定された送信回数を超えた場合。
（３）現在の時刻が、図１４に示した終了時刻設定タブ３２４により切り替えられた設定画面において設定された送信処理終了時刻を超えた場合。
【００５４】
条件取得部３００は、入出力装置１２８のタッチパネルに表示された条件設定操作画面（図１４）を介して、管理者などにより入力された送信処理停止条件を取得し、制御部３０２に対して出力する。
制御部３０２は、条件取得部３００から入力された送信処理停止条件を取得する。
また、制御部３０２は、取得した送信処理停止条件のうちのいずれか１つでも満たしている場合、距離判定部３０４および画像送信部３１０に対して、距離判定処理および画像送信処理を終了するよう制御し、それ以外の場合、距離判定部３０４および画像送信部３１０に対して、予め定められた間隔で、距離判定処理および画像送信処理を行うよう制御する。
具体的には、例えば、制御部３０２は、中止ボタン３２０（図１４）が押下されたことを示す送信処理停止条件を取得した場合、距離判定部３０４および画像送信部３１０に対して、距離判定処理および画像送信処理を終了するよう制御する。
【００５５】
距離判定部３０４は、制御部３０２からの制御に従って、予め定められた間隔で、第１の距離判定部２０６と同様な距離判定処理を行う。
また、距離判定部３０４は、制御部３０２からの制御に従って、距離判定処理を終了する。
画像読取部３０６は、モード取得部２０２から入力された配布モード（第２の実施形態においては、「不特定配布モード」）を取得し、配布モードが「不特定配布モード」であると認識する。
また、画像読取部３０６は、図６に示した操作画面のスキャン開始ボタン２２６が押下されると、図８に示した画面が表示されている間に、画像読取装置１２６（図２）にセットされた原稿を読み取って画像データを生成する。
また、画像読取部３０６は、生成した画像データを、画像データ記憶部３０８に対して出力する。
【００５６】
画像データ記憶部３０８は、画像読取部３０６から入力された画像データを記憶し、画像送信部３１０からの要求に応じて、記憶している画像データを、画像送信部３１０に対して出力する。
画像送信部３１０は、制御部３０２からの制御に従って、予め定められた間隔で、画像データ記憶部３０８に対して画像データを要求し、画像データ記憶部３０８が記憶する画像データを取得する。
また、画像送信部３１０は、端末情報記憶部２０８が記憶する端末情報テーブル（図７）の端末情報のうち、判定結果が「一定距離内」を示し、画像送信状態が「未送信」を示す端末情報が存在する場合、端末情報を取得する。
【００５７】
また、画像送信部３１０は、端末情報記憶部２０８から端末情報を取得した場合、取得した端末情報のＩＰアドレスに対応する携帯端末装置１４（図１）に対して、取得した画像データを送信する。
また、画像送信部３１０は、第１の画像送信部２１２と同様に、端末情報記憶部２０８が記憶する端末情報テーブルの端末情報のうち、画像データを送信した携帯端末装置１４に対応する画像送信状態を「送信済」に更新する。
また、画像送信部３１０は、制御部３０２からの制御に従って、画像送信処理を終了する。
【００５８】
［第２の実施形態における画像伝送システム１の動作例］
図１５は、第２の実施形態における画像伝送システム１（図１）の動作例を示すフローチャートである。
以下、図１１に示したＳ２６０において、画像伝送装置１２が「一斉配布モード」であると判定した場合以外、つまり、第２の実施形態に対応する「不特定配布モード」であると判定した場合における画像伝送システム１の動作例を説明する。
【００５９】
ステップ２６２（Ｓ２６２）において、画像伝送装置１２は、図１１に示したＳ２６２と同様な処理を行う（画像読取部３０６（図１３））。
ステップ３４０（Ｓ３４０）において、画像伝送装置１２は、Ｓ２６２において生成した画像データを記憶する（画像データ記憶部３０８（図１３））。
ステップ２４（Ｓ２４）において、画像伝送装置１２は、図１０，図１１に示したＳ２４と同様な処理を行う（距離判定部３０４，端末情報記憶部２０８（図１３））。
【００６０】
ステップ３４２（Ｓ３４２）において、画像伝送装置１２は、画像データの送信対象の携帯端末装置１４の端末情報が存在するか否かを判定する（端末情報記憶部２０８，画像送信部３１０（図１３））。
画像伝送装置１２は、端末情報が存在する場合、Ｓ２６４の処理に進み、それ以外の場合、処理を終了する。
ステップ２６４（Ｓ２６４）において、画像伝送装置１２は、図１１に示したＳ２６４と同様な処理を行う（端末情報記憶部２０８，画像送信部３１０）。
【００６１】
ステップ３４４（Ｓ３４４）において、画像伝送装置１２は、Ｓ２６４において取得した端末情報に対応する携帯端末装置１４に対して、Ｓ３４０において記憶した画像データを送信する（画像データ記憶部３０８，画像送信部３１０（図１３））。
ステップ２６８（Ｓ２６８）において、画像伝送装置１２は、図１１に示したＳ２６８と同様な処理を行い、画像データの送信対象のすべての携帯端末装置１４に対して画像データを送信したと判定した場合、Ｓ３４６の処理に進み、それ以外の場合、Ｓ２６４の処理に進む（画像送信部３１０）。
ステップ３４６（Ｓ３４６）において、画像伝送装置１２は、送信処理停止条件を満たすか否かを判断し、画像データの送信処理を継続するか否かを判定する（条件取得部３００，制御部３０２（図１３））。
画像伝送装置１２は、送信処理を継続すると判定した場合、Ｓ３４８の処理に進み、それ以外の場合、処理を終了する。
【００６２】
ステップ３４８（Ｓ３４８）において、画像伝送装置１２は、Ｓ２６８においてすべての携帯端末装置１４に対して画像データを送信したと判定してから予め定められた時間が経過したか否かを判定する（制御部３０２（図１３））。
画像伝送装置１２は、予め定められた時間が経過したと判定した場合、Ｓ２４の処理に進み、それ以外の場合、Ｓ３４８の処理にとどまる。
なお、本実施形態においては、１つの画像データに対する画像伝送システム１（図１）の動作例を説明したが、画像伝送システム１の画像伝送装置１２は、複数の画像データを記憶し、画像データごとに画像送信状態および送信処理停止条件などを管理してもよい。
【００６３】
［第３の実施形態］
以下、本発明の第３の実施形態について説明する。
本発明の第３の実施形態においては、第１の画像送信部２１２（図３）および第２の画像送信部３１０（図１３）は、端末情報の判定結果が「一定距離内」を示し、画像送信状態が「未送信」を示し、さらに、画像データの送信が許可された携帯端末装置１４（図１）に対して、画像データを送信する。
【００６４】
図１６は、本発明の第３の実施形態において、端末情報記憶部２０８（図３，図１３）が、図７に示した端末情報テーブルに加えてさらに記憶する端末管理テーブルを例示する図である。
図１６に示すように、端末管理テーブルは、携帯端末装置１４のＭＡＣ（Media Access Control）アドレスおよび画像データ送信が許可されているか否かを示す送信可否情報を含む。
例えば、送信可否情報は、図１６に示すように、画像データ送信が許可されている場合、「許可」を示し、それ以外の場合、「禁止」を示す。
【００６５】
端末管理テーブルのＭＡＣアドレスおよび送信可否情報は、例えば、画像伝送装置１２の入出力装置１２８（図２）に表示される登録画面（図示せず）を介して、管理者により予め設定される。
第３の実施形態において、画像送信部２１２，３１０（図３，図１３）は、端末管理テーブル（図１６）を参照して、画像データの送信が許可された携帯端末装置１４（図１）に対して、画像データを送信する（図１７を参照して詳述）。
【００６６】
［第３の実施形態における第１の画像送信部２１２の処理］
図１７は、第３の実施形態における第１の画像送信部２１２の画像送信処理を例示するフローチャートである。
以下、第３の実施形態における第１の画像送信部２１２の画像送信処理を、さらに説明する。
【００６７】
ステップ２６４（Ｓ２６４）において、画像送信部２１２は、図１１および図１５に示したＳ２６４と同様な処理を行う。
ステップ４００（Ｓ４００）において、画像送信部２１２は、例えば、ＡＲＰ（Address Resolution Protocol）コマンドを用いて、Ｓ２６４において取得した送信先端末情報のＩＰアドレスに対応する携帯端末装置１４（図１）のＭＡＣアドレスを取得する。
ステップ４０２（Ｓ４０２）におおいて、画像送信部２１２は、端末情報記憶部２０８が記憶する端末管理テーブル（図１６）を参照して、Ｓ４００において取得したＭＡＣアドレスに対応する送信可否情報が「許可」を示すか否かを判定する。
画像送信部２１２は、送信可否情報が「許可」を示す場合、Ｓ２６６の処理に進み、それ以外の場合、Ｓ２６８の処理に進む。
【００６８】
ステップ２６６（Ｓ２６６）およびステップ２６８（Ｓ２６８）において、画像送信部２１２は、図１１に示したＳ２６６およびＳ２６８と同様な処理を行う。
なお、第３の実施形態における第２の画像送信部３１０の画像送信処理においては、図１５に示したＳ３４４の処理の前に、図１７に示したＳ４００およびＳ４０２と同様な処理が追加される。
【００６９】
［変形例１］
本発明の第１〜第３の実施形態においては、管理者が、設定操作画面（図５）を介して緯度経度を入力するが、位置情報取得部２００（図３，図１３）は、例えば、ネットワークを介して画像伝送装置１２（図１）に接続されたＧＰＳを搭載する機器（図示せず）に対して、緯度経度を要求して取得してもよい。
【００７０】
［変形例２］
図１８は、本発明の第１〜第３の実施形態の変形例２において、ＩＣカード読取装置１３０（図２）が用いられる画像伝送装置１２（図１）の構成を例示する図である。
本発明の第１〜第３の実施形態においては、距離判定部２０６，３０４（図３，図１３）は、画像伝送装置１２および携帯端末装置１４の位置情報を用いて、これらの装置間の距離が一定範囲内であるか否かを判定するが、図１８に示すように、画像伝送装置１２に接続されたＩＣカード読取装置１３０によりＩＰアドレスなどの端末情報が読み取られた携帯端末装置１４は、画像伝送装置１２から予め定められた距離内に存在すると判定してもよい。
【００７１】
［変形例３］
本発明の第１〜第３の実施形態においては、距離判定部２０６，３０４（図３，図１３））は、画像伝送装置１２および携帯端末装置１４の位置情報を用いて、これらの装置間の距離が一定範囲内であるか否かを判定するが、上述したように、端末情報取得部２０４（図３，図１３）が近距離通信を行うネットワークを介した通信により検出した携帯端末装置１４は、画像伝送装置１２から予め定められた距離内に存在すると判定してもよい。
【００７２】
［変形例４］
本発明の第３の実施形態においては、送信可否情報は、管理者などにより画像伝送装置１２（図１）側で予め設定されているが、端末情報取得部２０４（図３，図１３）などが、携帯端末装置１４側で予め設定された送信可否情報を取得して、端末管理テーブル（図１６）に記憶させてもよい。
【００７３】
［変形例５］
本発明の第１〜第３の実施形態において、画像送信部２１２，３１０（図３，図１３）は、画像データ送信対象の携帯端末装置１４（図１）に対して、画像データの送信前に、画像データが送信される旨を通知し、通知された携帯端末装置１４が画像データの受信を許可した場合にのみ、画像データを送信するようにしてもよい。
【００７４】
［変形例６］
本発明の第１〜第３の実施形態においては、画像伝送装置１２（図１）は、画像伝送装置１２から一定範囲内に存在する携帯端末装置１４（図１）に対して、画像データを送信したが、特定の場所（例えばイベント会場）の位置情報を設定し、その特定の場所から予め定められた範囲内に存在する携帯端末装置１４に対して、画像データを送信してもよい。
【００７５】
［変形例７］
本発明の第１〜第３の実施形態においては、画像伝送装置１２は、予め定められた距離内に存在するすべての携帯端末装置１４（第３の実施形態においては、さらに画像データ送信が許可された携帯端末装置１４）に対して画像データを送信しているが、画像データを送信する携帯端末装置１４の数が予め設定され、画像伝送装置１２からの距離が近い順に、予め設定された数の携帯端末装置１４に対して画像データを送信するようにしてもよい。
【符号の説明】
【００７６】
１・・・画像伝送システム，
１２・・・画像伝送装置，
１２０・・・本体，
１２２・・・ＣＰＵ，
１２４・・・メモリ，
１２６・・・画像読取装置，
１２８・・・入出力装置，
１３０・・・ＩＣカード読取装置，
１３２・・・通信装置，
１３４・・・記録装置，
１３６・・・記憶媒体，
１４・・・携帯端末装置，
１００・・・ネットワーク，
２０，３０・・・画像伝送プログラム，
２００・・・位置情報設定部，
２０２・・・モード設定部，
２０４・・・端末情報取得部，
２０６，３０４・・・距離判定部，
２０８・・・端末情報記憶部，
２１０，３０６・・・画像読取部，
２１２，３１０・・・画像送信部，
３００・・・条件取得部，
３０２・・・制御部，
３０８・・・画像記憶部，
２２０・・・登録／変更ボタン，
２２２・・・ジョブボタン，
２２４・・・配布モードのプルダウン，
２２６・・・スキャン開始ボタン，
２８０・・・置台，
３２０・・・中止ボタン，
３２２・・・回数設定タブ，
３２４・・・終了時刻設定タブ
【図１】
2013168847.tif 000003
【図２】
2013168847.tif 000004
【図３】
2013168847.tif 000005
【図４】
2013168847.tif 000006
【図５】
2013168847.tif 000007
【図６】
2013168847.tif 000008
【図７】
2013168847.tif 000009
【図８】
2013168847.tif 000010
【図９】
2013168847.tif 000011
【図１０】
2013168847.tif 000012
【図１１】
2013168847.tif 000013
【図１２】
2013168847.tif 000014
【図１３】
2013168847.tif 000015
【図１４】
2013168847.tif 000016
【図１５】
2013168847.tif 000017
【図１６】
2013168847.tif 000018
【図１７】
2013168847.tif 000019
【図１８】
2013168847.tif 000020